【手続補正書】
【提出日】平成18年5月30日(2006.5.30)
【手続補正１】
【補正対象書類名】特許請求の範囲
【補正対象項目名】全文
【補正方法】変更
【補正の内容】
【特許請求の範囲】
【請求項１】
所定の専門業者のみが参加できる既存オークションシステムに対して入札の代行を行なうオークション代行システムであって、
前記既存オークションシステムに出品されている物品に関する出品情報を受信する手段と、
受信した出品情報をインターネットを介して一般のユーザのコンピュータで参照できるように、該出品情報を含むウェブページを自動生成してインターネット上で公開する手段と、
ユーザの個人情報を登録する手段と、
ユーザが入力した入札希望物品とその入札金額の情報を受信する手段と、
受信した入札希望物品および入札金額の情報に基づいて前記既存オークションシステムに対する入札データを生成し、該入札データを前記既存オークションシステムに送信することにより、入札を行なう手段と、
前記既存オークションシステムから送信されるオークションの結果を前記ユーザにメールで通知する手段と
を備えたことを特徴とするオークション代行システム。
【請求項２】
所定の専門業者のみが参加できる既存オークションシステムに対して入札の代行を行なうオークション代行システムであって、
前記既存オークションシステムに出品されている物品に関する出品情報を受信する手段と、
受信した出品情報をインターネットを介して一般のユーザのコンピュータで参照できるように、該出品情報を含むウェブページを自動生成してインターネット上で公開する手段と、
ユーザの個人情報を登録する手段と、
ユーザが入力した入札希望物品とその入札金額の情報を受信する手段と、
複数のユーザが同じ物品を入札希望物品とした場合は、それらのユーザから最高値の入札金額を付けたユーザを抽出する手段と、
前記抽出されたユーザの入札金額の情報に基づいて前記既存オークションシステムに対する入札データを生成し、該入札データを前記既存オークションシステムに送信することにより、入札を行なう手段と、
前記既存オークションシステムから送信されるオークションの結果を前記抽出されたユーザにメールで通知する手段と、
前記抽出されたユーザ以外の前記物品を入札希望物品としたユーザに対して、入札落選通知のメールを送信する手段と
を備えたことを特徴とするオークション代行システム。
【請求項３】
請求項１または２に記載のオークション代行システムにおいて、
予めユーザが希望する物品に関する条件を入力する手段と、
前記既存オークションシステムに出品されている物品に前記条件を満たすものがあるか否かを探索する手段と、
前記条件を満たす物品があったとき、前記ユーザに対して、希望する物品が出品されていることを通知するメールを送信する手段と
をさらに備えたことを特徴とするオークション代行システム。
【請求項４】
所定の専門業者のみが参加できる既存オークションシステムに対してオークション代行システムにより入札の代行を行なうオークション代行方法であって、
前記オークション代行システムが備える出品情報受信手段が、前記既存オークションシステムに出品されている物品に関する出品情報を受信するステップと、
前記オークション代行システムが備えるウェブページ公開手段が、受信した出品情報をインターネットを介して一般のユーザのコンピュータで参照できるように、該出品情報を含むウェブページを自動生成してインターネット上で公開するステップと、
前記オークション代行システムが備える個人情報登録手段が、ユーザの個人情報を登録するステップと、
前記オークション代行システムが備える入札金額情報受信手段が、ユーザが入力した入札希望物品とその入札金額の情報を受信するステップと、
前記オークション代行システムが備える入札手段が、受信した入札希望物品および入札金額の情報に基づいて前記既存オークションシステムに対する入札データを生成し、該入札データを前記既存オークションシステムに送信することにより、入札を行なうステップと、
前記オークション代行システムが備える結果通知手段が、前記既存オークションシステムから送信されるオークションの結果を前記ユーザにメールで通知するステップと
を備えたことを特徴とするオークション代行方法。
【手続補正２】
【補正対象書類名】明細書
【補正対象項目名】０００７
【補正方法】変更
【補正の内容】
【０００７】
上記目的を達成するため、請求項１に係る発明は、所定の専門業者のみが参加できる既存オークションシステムに対して入札の代行を行なうオークション代行システムであって、前記既存オークションシステムに出品されている物品に関する出品情報を受信する手段と、受信した出品情報をインターネットを介して一般のユーザのコンピュータで参照できるように、該出品情報を含むウェブページを自動生成してインターネット上で公開する手段と、ユーザの個人情報を登録する手段と、ユーザが入力した入札希望物品とその入札金額の情報を受信する手段と、受信した入札希望物品および入札金額の情報に基づいて前記既存オークションシステムに対する入札データを生成し、該入札データを前記既存オークションシステムに送信することにより、入札を行なう手段と、前記既存オークションシステムから送信されるオークションの結果を前記ユーザにメールで通知する手段とを備えたことを特徴とする。
【手続補正３】
【補正対象書類名】明細書
【補正対象項目名】０００８
【補正方法】変更
【補正の内容】
【０００８】
請求項２に係る発明は、所定の専門業者のみが参加できる既存オークションシステムに対して入札の代行を行なうオークション代行システムであって、前記既存オークションシステムに出品されている物品に関する出品情報を受信する手段と、受信した出品情報をインターネットを介して一般のユーザのコンピュータで参照できるように、該出品情報を含むウェブページを自動生成してインターネット上で公開する手段と、ユーザの個人情報を登録する手段と、ユーザが入力した入札希望物品とその入札金額の情報を受信する手段と、複数のユーザが同じ物品を入札希望物品とした場合は、それらのユーザから最高値の入札金額を付けたユーザを抽出する手段と、前記抽出されたユーザの入札金額の情報に基づいて前記既存オークションシステムに対する入札データを生成し、該入札データを前記既存オークションシステムに送信することにより、入札を行なう手段と、前記既存オークションシステムから送信されるオークションの結果を前記抽出されたユーザにメールで通知する手段と、前記抽出されたユーザ以外の前記物品を入札希望物品としたユーザに対して、入札落選通知のメールを送信する手段とを備えたことを特徴とする。
【手続補正４】
【補正対象書類名】明細書
【補正対象項目名】００１０
【補正方法】変更
【補正の内容】
【００１０】
請求項４に係る発明は、所定の専門業者のみが参加できる既存オークションシステムに対してオークション代行システムにより入札の代行を行なうオークション代行方法であって、前記オークション代行システムが備える出品情報受信手段が、前記既存オークションシステムに出品されている物品に関する出品情報を受信するステップと、前記オークション代行システムが備えるウェブページ公開手段が、受信した出品情報をインターネットを介して一般のユーザのコンピュータで参照できるように、該出品情報を含むウェブページを自動生成してインターネット上で公開するステップと、前記オークション代行システムが備える個人情報登録手段が、ユーザの個人情報を登録するステップと、前記オークション代行システムが備える入札金額情報受信手段が、ユーザが入力した入札希望物品とその入札金額の情報を受信するステップと、前記オークション代行システムが備える入札手段が、受信した入札希望物品および入札金額の情報に基づいて前記既存オークションシステムに対する入札データを生成し、該入札データを前記既存オークションシステムに送信することにより、入札を行なうステップと、前記オークション代行システムが備える結果通知手段が、前記既存オークションシステムから送信されるオークションの結果を前記ユーザにメールで通知するステップとを備えたことを特徴とする。